(57)【要約】【課題】先端側の耐衝撃性を向上させることができる穂先を有する釣竿の提供を目的としている。【解決手段】本発明の一実施形態に係る釣竿の穂先４は、樹脂が含浸された強化繊維によって構成され、その長手方向先端側の樹脂含有率が基端側の樹脂含有率よりも高く設定される。一例として、穂先４は、樹脂から形成される内側領域２０と、少なくとも強化繊維から形成され且つ内側領域２０を取り囲む外側領域３０とから成る中実断面を有し、手方向基端側から先端側に向かって穂先４の外径が次第に細くなることにより、先端側ほど内側領域２０に対する外側領域３０の割合が小さくなっている。これにより、穂先４の長手方向先端側の樹脂含有率が基端側の樹脂含有率よりも高く設定される。【選択図】図３
2010081878.tif 000002
【特許請求の範囲】
【請求項１】
中実状の穂先であって、樹脂が含浸された強化繊維によって構成され、その長手方向先端側の樹脂含有率が基端側の樹脂含有率よりも高いことを特徴とする穂先を有する釣竿。
【請求項２】
樹脂から形成される内側領域と、少なくとも強化繊維から形成され且つ前記内側領域を取り囲む外側領域とから成る中実断面を有することを特徴とする請求項１に記載の穂先を有する釣竿。
【請求項３】
長手方向基端側から先端側に向かって穂先の外径が次第に細くなることにより、先端側ほど内側領域に対する外側領域の割合が小さくなることを特徴とする請求項２に記載の穂先を有する釣竿。
【発明の詳細な説明】
【技術分野】
【０００１】
本発明は、釣竿に関し、特に、先端側の耐衝撃性を向上させることができる穂先を有する釣竿に関する。
【背景技術】
【０００２】
従来から、中実棒状の穂先は様々な素材および形態のものが知られている（例えば、特許文献１参照）。例えば磯竿は、魚信を取り易くする敏感は穂先が求められ、竿の先端部分が曲がる先調子の竿が存在する。これらの穂先に共通する課題の１つは、穂先の剛性（強度）の向上であり、衝撃によって破損や折れが生じないことが必要とされる。
【特許文献１】特開２００６−１０１７７９号
【発明の開示】
【発明が解決しようとする課題】
【０００３】
ところで、穂先はその先端側ほど径が細く、そのため、特に穂先の先端側が障害物（例えば、釣り場に存在する岩など）と接触して破損し易い。また、仕掛けの巻き込み等に起因する竿の曲げに伴って穂先が折れてしまう場合もある。したがって、特に、穂先の先端側の耐衝撃性を向上させることが求められる。これに関連して、穂先の耐衝撃性を向上させるために、穂先全体を樹脂含有率の高い材料で製作することも考えられるが、この場合には、穂先全体が軟らかくなってしまい、穂持ち竿との剛性差が大きく、竿全体が滑らかに撓まない。
【０００４】
本発明は、前記事情に着目してなされたものであり、その目的とするところは、先端側の耐衝撃性を向上させることができるとともに、滑らかに曲がる釣竿の優れた調子や撓みバランスに寄与できる穂先を有する釣竿を提供することにある。
【課題を解決するための手段】
【０００５】
前記課題を解決するために、本発明の釣竿は、中実状の穂先であって、樹脂が含浸された強化繊維によって構成され、その長手方向先端側の樹脂含有率が基端側の樹脂含有率よりも高いことを特徴とする穂先を有する。
【０００６】
上記構成によれば、穂先の長手方向先端側の樹脂含有率が基端側の樹脂含有率よりも高く設定されているため、樹脂の物理特性に起因して長手方向の先端側ほど衝撃吸収性に優れる。したがって、穂先の先端側ほど耐衝撃性が高くなる。その結果、穂先の先端側が障害物と接触して破損したり、あるいは、仕掛けの巻き込み等に起因する竿の曲げに伴って穂先が折れてしまうといったことを防止できる。また、穂先全体を樹脂含有率の高い材料で製作するのではなく、樹脂含有率を穂先の基端側から先端側に向かって高く設定しているため、穂先全体が軟らかくなりすぎてしまうことがなく、穂持ち竿との剛性差を抑えて竿全体の滑らかな撓みに寄与できる。
【０００７】
また、上記構成において、穂先は、樹脂から形成される内側領域と、少なくとも強化繊維から形成され且つ前記内側領域を取り囲む外側領域とから成る中実断面を有していても良い。また、この構成に加えて、長手方向基端側から先端側に向かって穂先の外径を次第に細くすることにより、先端側ほど内側領域に対する外側領域の割合を小さくする（先端側ほど、断面全体に占める内側領域の割合を大きくする）ようにすれば、穂先の先端側ほど樹脂含有率が高くなるため、穂先の先端側ほど耐衝撃性が高くなる。
【発明の効果】
【０００８】
本発明によれば、先端側の耐衝撃性を向上させることができる穂先を有する釣竿を提供できる。
【発明を実施するための最良の形態】
【０００９】
以下、図面を参照しながら本発明に係る釣竿の一実施形態について説明する。
図１には釣竿の一例が示されている。この釣竿１は、魚釣用リール（スピニングリール）５０の脚部５２を着脱可能にする筒状のリール脚固定装置１０を装着した元竿３と、穂持ち竿７ａを含む複数本の中継竿７と、穂持ち竿７ａに対して継合される穂先４とを備えた５本継ぎとして構成されている。この場合、両竿部材の継合は、振り出し式に構成されていても良いし、並継式に構成されていても良い。また、各竿杆の継合本数は任意である。また、後述するように、穂先４の構造は中実状に構成されている。
【００１０】
竿杆（穂先４を含む）には、複数の釣糸ガイド（外ガイド）５が設けられており、リール脚固定装置１０に装着されたリール５０から繰出される釣糸を案内するようになっている。また、元竿３には、必要に応じて、リール脚固定装置１０の前後にグリップが設けられていても良い。
【００１１】
図２に示されるように、穂先４は、穂持ち竿７ａに接続される基端４ａと、穂先４の先端側を形成する先端４ｂとを有しており、エポキシ樹脂、ポリエステル樹脂、フェノール樹脂等のマトリックス樹脂が含浸された強化繊維（例えば、炭素繊維、ガラス繊維、アラミド繊維）によって構成されている。無論、強化繊維に樹脂を含浸して形成された、いわゆるプリプレグシートを含んでいても良い。プリプレグシートについては、それを構成する強化繊維が、軸長方向、周方向、或いは傾斜方向に引き揃えられたものであっても良い。
【００１２】
また、本実施形態において、穂先４は、その長手方向先端側の樹脂含有率が基端側の樹脂含有率よりも高く設定されている。具体的に、本実施形態では、長手方向基端側から先端側に向かって段階的に或いは連続的に樹脂含有率が変化しており、例えば先端４ｂと基端４ａとの間で樹脂含有率が１０％異なる。あるいは、穂先４の全長の２０％に当たる先端４ｂを含む先端側領域の樹脂含有率が４０％〜５０％であり、穂先４の全長の８０％に当たる基端４ａを含む基端側領域の樹脂含有率が５０％〜６０％である。
【００１３】
また、穂先４の長手方向先端側の樹脂含有率を基端側の樹脂含有率よりも高く設定する具体的な竿構造として、以下の構造が考えられる。
【００１４】
すなわち、まず、穂先４の中実断面を図４に示すように構成する。図示のように、中実状の穂先４は、内側領域２０と、この内側領域２０を取り囲む外側領域３０とから成る円形の中実断面を有している。この場合、内側領域２０は、竿の軸心を中心とする所定の直径ｒを有する円形断面を成し、外側領域３０は、内側領域２０の外周を取り囲む直径がＲの環状断面を成している。なお、本実施形態では、中実断面が円形断面であるが、断面の形状は任意である。具体的には、長円形状や矩形状の中実断面を有していても良く、また、内側領域２０と外側領域３０との境界も長円形状や矩形状を成していても良い。
【００１５】
この場合、外側領域３０が少なくとも強化繊維３０ａから形成され、内側領域２０が樹脂２０ａから形成される。より具体的には、外側領域３０は、例えばエポキシ樹脂、ポリエステル樹脂、フェノール樹脂等のマトリックス樹脂が含浸され且つ軸長方向に引き揃えられた強化繊維（例えば、炭素繊維、ガラス繊維、アラミド繊維）３０ａの束から成っており、この束は撚りがかかっていても或いはかかっていなくても良い。一方、内側領域２０は、エポキシ樹脂、ポリエステル樹脂、フェノール樹脂などの樹脂２０ａから成る。樹脂２０ａのみから成っていても良く、あるいは、樹脂２０ａ中に繊維などが散在された構成であっても構わない。なお、内側領域２０を形成する樹脂２０ａの周囲に外側領域３０を形成する強化繊維３０ａを配置する中実構造の形成方法としては、例えば、ガラス管成形や引抜成形などが挙げられる。
【００１６】
そして、このような断面構造に加えて、図３に示されるように、長手方向基端側から先端側に向かって穂先４の外径を次第に細くすることにより、先端側ほど内側領域２０に対する外側領域３０の割合を小さくする（先端側ほど、断面全体に占める内側領域２０（樹脂）の割合を大きくする）ようにする。このようにすれば、図３の（ｂ）の断面と図３の（ｃ）の断面とを比較して明らかなように、穂先４の長手方向先端側の樹脂含有率が基端側の樹脂含有率よりも高く設定される。この場合、例えば、先端４ｂにおいては、内側領域２０の直径ｒが穂先の中実断面全体の直径、すなわち、外側領域３０の直径Ｒの１０％〜３０％に設定されるとともに、基端４ｂにおいては、内側領域２０の直径ｒが外側領域３０の直径Ｒの５％〜２０％に設定されることが好ましい。これにより、先端４ｂと基端４ａとで樹脂含有率を５％〜１０％異ならせることができる。なお、図３の中実断面では、外側領域３０の断面のみが基端側から先端側に向かってテーパ状に先細っており、内側領域２０の断面積は全長にわって一定であるが、内側領域２０の断面形状も基端側から先端側に向かってテーパ状に先細っていても良い。ただし、この場合も、先端側ほど内側領域２０に対する外側領域３０の割合を小さくする（先端側ほど、断面全体に占める内側領域２０（樹脂）の割合を大きくする）ようにして、穂先４の長手方向先端側の樹脂含有率が基端側の樹脂含有率よりも高く設定されるようにする。
また、穂先４の長手方向先端側の樹脂含有率を基端側の樹脂含有率よりも高く設定する他の手段としては、図５に示されるような手段も考えられる。すなわち、穂先の中実断面を図３に示されるような樹脂含有率の異なる同心状の２つの領域から形成するのではなく、穂先４をその全長にわたって強化繊維３０ａと樹脂２０ａとの混合体により形成するとともに、穂先４の基端側の中実断面(図５の（ｂ）)における繊維密度を先端側の中実断面(図５の（ａ）)における繊維密度よりも高く設定し、それにより、穂先４の長手方向先端側の樹脂含有率を基端側の樹脂含有率よりも高く設定しても良い。このような断面形態は、例えばガラス管成形などの行なう際に基端側に繊維を多く配置することで実現できる。
また、穂先４の基端側の中実断面における繊維密度を先端側の中実断面における繊維密度よりも高く設定するために、繊維の外径を先端側から基端側に向かって太く形成しても良い。これによっても、穂先４の長手方向先端側の樹脂含有率を基端側の樹脂含有率より高く設定できる。
【００１７】
以上説明したように、本実施形態の釣竿１の穂先４は、樹脂が含浸された強化繊維によって構成され、その長手方向先端側の樹脂含有率が基端側の樹脂含有率よりも高く設定されている。そのため、樹脂の物理特性に起因して長手方向の先端側ほど耐衝撃性に優れる。その結果、穂先４の先端側が障害物と接触して破損したり、あるいは、仕掛けの巻き込み等に起因する竿の曲げに伴って穂先が折れてしまうといったことを防止できる。
【図面の簡単な説明】
【００１８】
【図１】本発明の一実施形態に係る釣竿の一例を示す側面図である。
【図２】図１の釣竿の穂先の側面図である。
【図３】（ａ）は本発明の他の実施形態に係る穂先の長手方向断面図、（ｂ）は（ａ）のＡ−Ａ線に沿う断面図、（ｃ）は（ａ）のＢ−Ｂ線に沿う断面図である。
【図４】図３の穂先の断面図である。
【図５】他の実施形態に係る断面図である。
【符号の説明】
【００１９】
１  釣竿
４  穂先
４ａ  基端
４ｂ  先端
２０  内側領域
２０ａ  樹脂
３０  外側領域
３０ａ  強化繊維
【図１】
2010081878.tif 000003
【図２】
2010081878.tif 000004
【図３】
2010081878.tif 000005
【図４】
2010081878.tif 000006
【図５】
2010081878.tif 000007